(57)【要約】      （修正有）【課題】種々の形式のマンホール用コンクリート桝内壁に安定に押圧固定できるマンホール用断熱防臭シートのための吊下具を提供する。【解決手段】一端および中間部を扁平状とした適当長の管体の他端に雌ねじを刻設してなる吊下具本体１、および一端を先鋭とした適当長の雄ねじと雄ねじ中間位置に螺合固着してなる固着ナットと、固着ナットと雄ねじの他端との間に螺合させた締め付けナットとからなる螺合調整体１０を設け、吊下具本体の雌ねじに螺合調整体の非先鋭部を螺合させて、吊下具本体に対する螺合調整体の出入りと固定を可能とし、これにより、吊下具本体端と螺合調整体端との距離の可変と固定を可能とした。【選択図】図８
0003191349.tif 000002
【実用新案登録請求の範囲】
【請求項１】
その一端および中間部を扁平状とした適当長の管体の他端に雌ねじを刻設してなる吊下具本体を設け、一端を先鋭とした適当長の雄ねじを設けるとともに、該雄ねじ中間位置に螺合固着してなる固着ナットを設け、該固着ナットと雄ねじの他端との間に締め付けナットを螺合させてなる螺合調整体を設け、前記の吊下具本体の雌ねじに螺合調整体の非先鋭部を螺合させ、吊下具本体に対する該螺合調整体の出入りとその固定を可能とすることにより、吊下具本体端と螺合調整体端との距離の可変と固定を可能とするよう組み合わせ構成したことを特徴とするマンホール断熱防臭シート用吊下具。
【請求項２】
吊下具本体における端部と中間部の扁平方向を一致させてなる請求項１記載のマンホール断熱防臭シート用吊下具。
【請求項３】
螺合調整体の先鋭部と固着ナットとの間に環体を固着してなる請求項１または２記載のマンホール断熱防臭シート用吊下具。
【考案の詳細な説明】
【技術分野】
【０００１】  この考案は、マンホールに断熱防臭シートを取り付けるための吊下具に関する。
【背景技術】
【０００２】  従来より、マンホールに設ける断熱防臭シートはあったが、このシートを吊下するための専用の用具は見あたらない。
【考案の概要】
【考案が解決しようとする課題】
【０００３】  路面下に埋設される下水道の汚水管は生活排水が通過するため、その通過水による熱が発生し、また地熱にても熱気が発生する。この熱気はマンホール蓋に伝わり、この蓋から地上に放出される。降雪地域では冬季に路面へ積雪となるが、マンホール上に降り積もった雪はその熱にて融解するために、他の路面との間に段差としての凹凸が発生し、通行者や通過車の障害となっていた。また、夏季には汚水管から発生する臭気がマンホール蓋の孔より放出される問題が生じていた。
これらの諸問題を解決するために、本考案者らはマンホール蓋の下に設置する軟質かつ気密性のシートを主要部とした断熱防臭シートを、特許第４０３６２９３号として権利化を行っている。この権利化された断熱防臭シートは、シート生地を略扇形の所要の形状に裁断し、その２枚を融着や縫製などにて形成し、段部により鍔状の水平面を有するリング状の取り付け部と、取り付け部から下方に倒立円錐状に胴部を設け、該胴部の下端頂部から下方に、内圧にて開閉可能なる弁部を設け、取り付け部をマンホール蓋と受け枠の段部に固定し、弁部はシートを２枚合わせとし、両側部を止着し上下を開放したものである。【０００４】  近年、水害時に流水が逆流して多量にマンホール内に流入し、その水圧にてマンホール蓋が外れ飛散して、このマンホール孔から多量の水が放出される事態が増加している現象に対応するべく、このマンホール蓋を蝶番方式にて取り付ける工法が増えてきた。
この工法では前述のマンホール蓋を載置するための段部であるとともに該シート本体を載置するための段部が存在しないために、前掲の特許による環状水平面を有したシート体の取付が不能となる。本案は以上に鑑み、上記のマンホール形式においても取り付け可能なるマンホール断熱防臭シート用の吊下専用具を提供するべく考案されたものである。
【課題を解決するための手段】
【０００５】  課題を解決する手段として本案は以下の構成とした。
すなわち、その一端および中間部を扁平状とした適当長の管体の他端に雌ねじを刻設してなる吊下具本体を設け、一端を先鋭とした適当長の雄ねじを設けるとともに、該雄ねじ中間位置に螺合固着してなる固着ナットを設け、該固着ナットと雄ねじの他端との間に締め付けナットを螺合させてなる螺合調整体を設け、前記の吊下具本体の雌ねじに螺合調整体の非先鋭部を螺合させ、吊下具本体に対する該螺合調整体の出入りとその固定を可能とすることにより、吊下具本体端と螺合調整体端との距離の可変と固定を可能とするよう組み合わせ構成する。本案は以上の構成よりなるマンホール断熱防臭シート用吊下具である。
【考案の効果】
【０００６】  本案は下記の効果を有する。
１．吊下具本体に螺合調整体を螺合させることにより、その出入りと固定を選択可能とし  たので、マンホール用コンクリート桝内壁に本案品を押圧固定して、この吊下具よりワ  イヤーにてマンホール断熱防臭シートを吊下保持することができる。
２．吊下具本体端を扁平状とし、螺合調整体端を先鋭とし、コンクリート内壁の一方に扁  平部が、他方壁に先鋭端が押圧するので、本品装着作業時の吊下具本体からの伝達トル  クを軽減するとともに、コンクリート内壁に先鋭部が食い込んで、本案品の安定装着を  可能とすることができる。
３．締め付けナットを用いたので、本品使用時における伝達振動等による螺合調整体の緩  みを防止することができる。
４．落下防止ワイヤーを設けることにより、使用中の本品離脱落下を防止することができ  る。
【図面の簡単な説明】
【０００７】
【図１】  本考案の吊下具本体の平面図
【図２】  本考案の吊下具本体の正面図
【図３】  本考案の吊下具本体の拡大右側面図
【図４】  本考案の吊下具本体の拡大左側面図
【図５】  本考案の螺合調整体の拡大正面図
【図６】  本考案の吊下具の正面図
【図７】  本案に使用する添付スパナの平面図
【図８】  本考案の使用状態要部拡大説明図
【図９】  本考案の使用状態説明図（平面視・一部略）
【図１０】  本考案の使用状態説明図（正面視・一部略）
【考案を実施するための最良の形態】
【０００８】  以下、本考案の実施形態について説明する。
図において、１は吊下具本体で、適当長適当外径の管体を主要部として製作され、該管体の中間部は押圧にて扁平状の中間扁平部２が形成され、また左端も同様にして左端扁平部３が形成される。なお、この双方の扁平方向は同一である。４は角柱部で、その軸芯方向中央に雌ねじを刻設した六角ナットであり、前記管体右端に固着される。以上にて吊下具本体が形成される。
１０は螺合調整体である。１１は適当長の雄ねじであって前記角柱部の雌ねじに螺合する。この雄ねじ右端は円錐形に切削されて先鋭部１２となる。１３は該雄ねじに貫通固着されるワッシャ状の環体で、先鋭部より少しの距離を有している。１４は固着ナットで、該雄ねじに螺合固着されるナットであって、前記環体より少しの距離を有して環体左方に固着される。１５は締め付けナットで、固着ナット左方の雄ねじに螺合して存在する。
この螺合調整体の左部は角柱部の雌ねじに螺合するが、図６のごとく、締め付けナットにてダブルナット方式の締め付けができて、吊下具本体からの右方突出距離を所定範囲内にて任意に選択して固定することができる。【０００９】  次に本案吊下具の設置手順について説明する。
１．断熱防臭シートを円錐形に整え、中央の排出口（開閉弁部）が閉じていることを確認  する。
２．専用工具にてマンホールの蓋を取り外す。
３．落下防止のワイヤーを鉄枠の蝶番に取り付ける。
４．断熱防臭シートのたるみを整え、水平にセットする。
５．本案吊下具をコンクリート桝上面から約５センチメートル下に平行にセットする。
６．吊下具の中央扁平部分を握り、スパナで固着ナットと雄ねじを回し、コンクリート内  面に本品を押圧固定する。
７．振動等による緩み防止のため、締め付けナットを回して締め付ける。
８．断熱防臭シートの取り付け状態が正常であることを確認して、マンホール蓋を取り付  け閉じる。【００１０】  以上にて図１０にて示すように、本案吊下具はマンホール内壁に水平に押圧保持され、この吊下具からワイヤーにて断熱防臭シートが吊下保持される。この断熱防臭シートは、発泡合成樹脂シートにアルミシートを貼着し、このアルミシート面を内面として略中空逆円錐形状に形成するとともに、その下部は小長方形状として両側部のみを縫着形成した開閉弁部となっている。このシート上端外径はマンホール内壁よりわずかに大きく、マンホール内壁にやや変形してその上縁が密着する。また、通常時は開閉弁部はその形状保持性にて閉である。従って、汚水管からの上昇悪臭は遮断される。また、このシート内に水や雑物が入ったときは、その重量にて開閉弁部は開となって、その水等を落下排出する機能を有している。
本案による吊下具は、既述の構成にてマンホール内壁に押圧固定され、この吊下具から上記シートがワイヤーにて吊下されるため、ほとんどのマンホースに適合して断熱防臭シートをセットすることができる。【００１１】  本案吊下具の一方は先鋭であり、他方は環体の押圧扁平形状となっている。そのために、先鋭部が押圧にてマンホールのコンクリート内壁に食い込んでその位置保持を可能としており、扁平部は水平にコンクリート内壁曲面に接触するために二点接触となって、装着作業時に吊下具の回動力を緩和する効果を有している。吊下具両端が先鋭では、この吊下具回動力を手で押さえることができず、両端が扁平では内壁に対するくい込みが不足して安定保持が難しくなるために、本案では一方を先鋭に他方を扁平としたのである。
なお、取り付け作業時は吊下具本体の中間扁平部を握ってその位置と方向を定めるが、左端扁平部と中間扁平部の扁平方向を同一に加工することにて、この吊下具本体の方向確認を容易とすることができる。本案は、吊下具に取り付けたワイヤーにて断熱防臭シートを吊下保持するものであるが、正面視における左方のワイヤーは吊下具本体の左端扁平部と中間扁平部間に結びつけられ、右方のワイヤーは固着ナットと環体間の雄ねじ部分に結びつけられる。この環体は、このワイヤーの離脱防止のためのものである。【００１２】  以上のワイヤー下方は断熱防臭シート上部適所に穿設した孔を介して取り付けられる。
本案品はマンホール下に装備するものであるために、通行車両等による振動が伝わって、その影響にて脱落することを防止するために、内壁からの離脱防止策を講じることが望ましい。そのために本案では、吊下具落下防止ワイヤーを設けた。この落下防止ワイヤーの一端は吊下具本体中間位置適所に結びつけられ、他端は例えばマンホール蝶番に結びつけられる。これにて万一の落下が防止できる。なお、本案品取り付け作業時にはスパナを用いるが、このスパナをワイヤーにて吊下具本体適所に吊下しておくことにて、作業時に便利である。
以上のごとく、本案によって種々の形式のマンホール内にマンホール用の断熱防臭シートを取り付けるための新規かつ有用なる吊下具を得ることができる。
【符号の説明】
【００１３】  １  吊下具本体
２  中間扁平部
３  左端扁平部
４  角柱部
１０  螺合調整体
１１  雄ねじ
１２  先鋭部
１３  環体
１４  固着ナット
１５  締め付けナット
２０  断熱防臭シート
２１  断熱防臭シート吊下ワイヤー（左方）
２２  断熱防臭シート吊下ワイヤー（右方）
２３  吊下具落下防止ワイヤー（一部略）
２４  添付スパナ
３０  マンホール内壁
３１  鉄枠
３２  マンホール蓋
【図１】
0003191349.tif 000003
【図２】
0003191349.tif 000004
【図３】
0003191349.tif 000005
【図４】
0003191349.tif 000006
【図５】
0003191349.tif 000007
【図６】
0003191349.tif 000008
【図７】
0003191349.tif 000009
【図８】
0003191349.tif 000010
【図９】
0003191349.tif 000011
【図１０】
0003191349.tif 000012